(57)【要約】      （修正有）【課題】より長く走ることができる電動発電機付電気自動車を提供する。【解決手段】車の屋根に太陽光発電パネルを取り付け、バッテリーに接続する。同じ長さの二本のてこ棒の先端に動滑車を取り付け、その真上に定滑車を取り付け、動滑車と定滑車ワイヤーロープで接続する。ワイヤーロープをクランクシャフトの先端に取り付け、クランクシャフトを直流モータで回転させ、てこの棒の回転運動により発電し、バッテリーに充電する。【選択図】図１
0003176711.tif 000002
【実用新案登録請求の範囲】
【請求項１】
イ  同じ長さの、てこ棒を２本使用する、てこ棒の軸は引き上げると回転し、引き下げると空回転出来る様にする、これで、てこ棒の軸の回転運動が出来る、てこ棒の先端に動滑車を取り付ける、真上に定滑車を取り付ける、定滑車と動滑車に動滑車が上下運動出来る様にしてワイヤーロープを掛ける、定滑車に掛けたワイヤーロープをクランクシャフトに取り付ける、このクランクシャフトをモーターで回転させる事でクランクシャフトが定滑車のワイヤーロープを交互に、引き上げ、引下げを繰り返す事で、てこ棒の上下運動を繰り返して、てこ棒の軸棒の回転運動をさせる、この軸棒に歯車を取り付けて発電機を回転させて発電する。
ロ  大きな回転力を生み出すには、てこ棒を長くして、滑車の数を増やす事で解決出来る、てこ棒を長くした分と滑車の数を増やした分、定滑車のワイヤーロープを長く引き上げ引下げを繰り返えすための手段は、別の、てこ棒を１本使用するてこ棒の軸に大きな歯車を取り付ける、この歯車に小さい歯車を噛み合わせる小さい歯車に同じ歯車を噛み合わせる、これで片方が右回転をすると片方が左回転する、この歯車の軸棒にプーリーを取り付ける、このプーリーに定滑車のワイヤーロープをプーリーが巻き付け巻き戻しが出来る様に取り付ける、これで、てこ棒の先端をモーターで左右に動かす事で、てこ棒の軸の大きな歯車が小さい歯車を高速で回転させ小さな歯車に取り付けたプーリーが定滑車のワイヤーロープを高速でプーリーが交互に巻き付け巻き戻しを繰り返す事で、てこ棒を上下運動させて軸棒を回転させる、この軸棒に取り付けた歯車で発電機を回転させて発電する。
ハ  発電機で発電された電気をバッテリーに充電する、この電気で車を走らせる事で外部から充電しないで、長時間、車を走らせる事が出来る。
以上、イロハ  の構成から成る、外部から充電しないで走る事が出来る電気自動車。
【請求項２】
〔請求項１〕の、てこ棒と滑車を組み合わせて大きな力を生み出して利用する機種。
【考案の詳細な説明】
【技術分野】
【０００１】本考案は、てこ棒と滑車を組み合わせ回転運動が出来る様にする事で回転力を大きくする事で小さな直流モーターで、発電機を回転させて発電出来る様にする。
【背景技術】
【０００２】従来より、電気自動車は、外部より、充電をする事が基本であり、一回の充電で、いかに、長く、走る事が出来るかを競っているのが現実であり、充電しなで、長時間、走る事が出来る電気自動車は、見当たらない。
【考案の概要】
【考案を解決するための手段】
イ  同じ長さの、てこ棒を２本使用する。てこ棒の軸（支点）は先端を引き上げると回転し、引き下げると空回転出来る様にする。
これで、てこ棒の軸（支点）の回転運動が出来る。２本の、てこ棒の先端に動滑車を取り付ける。真上に空間を取り定滑車を取り付け、定滑車が動滑車を上下運動出来る様にワイヤーロープを取り付ける。
これで、定滑車のワイヤーロープを引き上げ、引き下げを繰り返す事で動滑車がてこ棒の先端を上下運動させ、てこ棒の軸の回転運動が出来る。この工程が、てこ棒と滑車を組合せて大きな力を生み出す事が出来る。
ロ  大きな回転力を生み出すには、てこ棒を長くして、滑車の数を増やす事で解決出来る、てこ棒を長くした分と滑車の数を増やした分、定滑車のワイヤーロープを長く引き上げ引下げを繰り返えすための手段は、別の、てこ棒を１本使用するてこ棒の軸に大きな歯車を取り付ける、この歯車に小さい歯車を噛み合わせる小さい歯車に同じ歯車を噛み合わせる、これで片方が右回転をすると片方が左回転する、この歯車の軸棒にプーリーを取り付ける、このプーリーに定滑車のワイヤーロープをプーリーが巻き付け巻き戻しが出来る様に取り付ける、これで、てこ棒の先端をモーターで左右に動かす事で、てこ棒の軸の大きな歯車が小さい歯車を高速で回転させ小さな歯車に取り付けたプーリーが定滑車のワイヤーロープを高速でプーリーが交互に巻き付け巻き戻しを繰り返す事で、てこ棒を上下運動させて軸棒を回転させる、この軸棒に取り付けた歯車で発電機を回転させて発電する。
ハ  発電機で発電された電気をバッテリーに充電する、この電気で車を走らせる事で外部から充電しないで、長時間、車を走らせる事が出来る。
以上、イロハ  の構成から成る、外部から充電しないで走る事が出来る電気自動車。
0003176711.tif 000003
【手続補正書】
【提出日】平成23年10月5日(2011.10.5)
【手続補正１】
【補正対象書類名】実用新案登録請求の範囲
【補正対象項目名】全文
【補正方法】変更
【補正の内容】
【実用新案登録請求の範囲】
【請求項１】
同じ長さのてこ棒を二本使用するてこ棒の軸は引き上げると回転し引き下げると空回転できる様にするこれでてこ棒の軸の回転運動ができるてこ棒の先端に動滑車を取り付ける真上に動滑車が上下運動ができる空間をとり定滑車を取り付ける定滑車と動滑車に力がだせる様にしてワイヤーロープを取り付ける定滑車に掛けたワイヤーロ−プを右のクランクシャフトに取り付け左のクランクシャフトに別の定滑車のワイヤーロープを取り付けるこのクランクシャフトを直流モーターで回転させることでクランクシャフトが定滑車のワイヤ−ロープを左右交互に引き上げ引き下げを繰り返すことで定滑車のワイヤーロープが動滑車を上下運動させててこ棒の軸の回転運動ができる引き上がった動滑車を引き下げるために左右のてこ棒の先端にワイヤーロープを取り付け真下に車輪を取り付けるこの車輪にワイヤーロープを掛けることで片方の動滑車が引き上がる力で別の動滑車が引き下がり左右交互に引き上げ引き下げを繰り返すことでてこ棒の軸の回転運動ができるこの軸の回転力で発電機を回転させて発電する発電した電気をバッテリーに充電する充電したバッテリーの電気で直流モーターを回転させて発電する又このバッテリーの電気を動力にして車を走らせる。
「以上の構成からなることを特徴とする電動発電機付電気自動車。」
【手続補正２】
【補正対象書類名】明細書
【補正対象項目名】全文
【補正方法】変更
【補正の内容】
【考案の詳細な説明】
【技術分野】
【０００１】本考案は、てこ棒と滑車を組み合わせ回転運動が出来る様にする事でてこ棒の力と滑車の力が組み合わさり軸に大きな回転力が生まれるこの回転力で発電機を回転させる事で小さいモーターで発電が可能になる。
【背景技術】
【０００２】従来より、電気自動車は外部より充電をする事が基本で一回の充電でいかに長く走る事が出来るかを競っているのが現状で発電機付の電気自動車は見当たらない。
【考案の概要】
【課題を解決するための手段】
【０００３】同じ長さのてこ棒を二本使用するてこ棒の軸は引き上げると回転し引き下げると空回転できる様にするこれでてこ棒の軸の回転運動ができるてこ棒の先端に動滑車を取り付ける真上に動滑車が上下運動ができる空間をとり定滑車を取り付ける定滑車と動滑車に力がだせる様にしてワイヤーロープを取り付ける定滑車に掛けたワイヤーロープを右のクランクシャフトに取り付け左のクランクシャフトに別の定滑車のワイヤーロープを取り付けるこのクランクシャフトを直流モーターで回転させることでクランクシャフトが定滑車のワイヤーロープを左右交互に引き上げ引き下げを繰り返すことで定滑車のワイヤーロープが動滑車を上下運動させててこ棒の軸の回転運動ができる引き上がった動滑車を引き下げるために左右のてこ棒の先端にワイヤーロープを取り付け真下に車輪を取り付けるこの車輪にワイヤーロープを掛けることで片方の動滑車が引き上がる力で別の動滑車が引き下がり左右交互に引き上げ引き下げを繰り返すことでてこ棒の軸の回転運動ができるこの軸の回転力で発電機を回転させて発電する発電した電気をバッテリーに充電する充電したバッテリーの電気で直流モーターを回転させて発電する又このバッテリーの電気を動力にして車を走らせる。
「以上の構成からなることを特徴とする電動発電機付電気自動車。」
【図面の簡単な説明】
【０００４】
【図１】全体図  てこ棒を二本使用するてこ棒の軸は引き上げると回転し引き下げると空回転できる様にするこれで軸の回転運動ができるてこ棒の先端に動滑車を取り付け真上に定滑車を取り付ける定滑車と動滑車にワイヤ−ロープを取り付ける定滑車のワイヤーロープを右のクランクシャフトに取り付け左のクランクシャフトに別の定滑車のワイヤーロープを取り付けるこのクランクシャフトを直流モーターで回転させることでクランクシャフトが定滑車のワイヤーロープを左右交互に引き上げ引き下げを繰り返すことで動滑車を上下運動をさせることでてこ棒の力と滑車の力が組み合わされててこ棒の軸に大きな回転力が生まれるこの軸の回転力で発電機を回転させて発電する発電した電気をバッテリーに充電するこのバッテリーの電気で直流モーターを回転させて発電する又このバッテリーの電気を動力にして車を走らせる。「以上の構成からなることを特徴とする電動発電機付電気自動車。」
【符号の説明】
【０００５】１てこ棒  ２てこ棒の軸  ３引き上げると回転  ４引き下げると空回転  ５ワイヤーロープ  ６定滑車  ７動滑車  ８右のクランクシャフト  ９左のクランクシャフト  １０回転  １１車輪  １２クランクシャフト  １３直流モーター  １４発電機  １５バッテリー  １６バッテリーに充電  １７上下運動  １８バッテリーのプラス  １９バッテリーのマイナス  ２０バッテリーの電気で直流モーターを回転させる  ２１発電  ２２発電したバッテリーの電気を動力にして車を走らせる
【手続補正３】
【補正対象書類名】図面
【補正対象項目名】全図
【補正方法】変更
【補正の内容】
【図１】
0003176711.tif 000004
【手続補正書】
【提出日】平成24年3月27日(2012.3.27)
【手続補正１】
【補正対象書類名】実用新案登録請求の範囲
【補正対象項目名】全文
【補正方法】変更
【補正の内容】
【実用新案登録請求の範囲】
【請求項１】
（１）車の屋根に太陽光発電パネルを取り付ける発電した電気を常時バッテリーに充電ができるようにする、
（２）同じ長さのてこ棒を二本使用するてこ棒の軸（支点）はてこ棒の先端を引き上げるとてこ棒の軸が回転してこ棒の先端を引き下げるとてこ棒の軸が空回転できるようにする
これでてこ棒の軸（支点）の回転運動ができる、
（３）左右のてこ棒の先端に動滑車を取り付ける真上に空間をとり上部左右に定滑車を取り付ける左右の定滑車と動滑車に力がでるようにしてワイヤーロープを取り付ける、
（４）右の定滑車に掛けたワイヤーロープを右のクランクシャフトの先端に取り付ける左の定滑車に掛けたワイヤーロープを左のクランクシャフトの先端に取り付けるこのクランクシャフトを直流モーターで回転させることで右のクランクシャフトが右の定滑車のワイヤーロープを引き上げ左のクランクシャフトが左の定滑車のワイヤーロープを引き下げることで左右交互に定滑車のワイヤーロープを引き上げ引き下げを繰り返すことでてこ棒の先端に取り付けた動滑車がてこ棒の先端を上下運動してこ棒の軸（支点）の回転運動ができるこのてこ棒と滑車の組み合わせでてこ棒の力と滑車の力が組み合わされててこ棒の軸（支点）に大きな回転力が生まれるこの大きなてこ棒の軸の回転力で発電機を回転させて発電する発電した電気を常時バッテリーに充電できるようにする発電機で発電した電気と太陽光発電で発電した電気をバッテリーに充電したバッテリーの電気で電気自動車の動力源にして車を走らせる又夜間など太陽光発電ができないので外部よりバッテリーに充電ができるように充電器を取り付ける、
以上（１）（２）（３）（４）の構成からなることを特徴とする太陽光発電とてこ棒と滑車を組み合わせた電動発電機付電気自動車。
【手続補正２】
【補正対象書類名】明細書
【補正対象項目名】全文
【補正方法】変更
【補正の内容】
【考案の詳細な説明】
【技術分野】
【０００１】本考案は、太陽光発電と、てこ棒と滑車を組み合わせててこ棒の軸の回転運動ができるようにする事でてこ棒の力と滑車の力が組み合わされてこ棒の軸に大きな回転力が生まれるこの大きな軸の回転力で発電機を回転させて発電する発電機で発電した電気と太陽光発電で発電した電気をバッテリーに充電する事で従来の電気自動車より長く走る事ができるのが特徴である。
【背景技術】
【０００２】従来より、電気自動車は常に充電する事が基本で太陽光発電とてこ棒と滑車を組み合わせた電動発電機付電気自動車は見当たらない。
【考案の概要】
【考案を解決するための手段】
【０００３】（１）車の屋根に太陽光発電パネルを取り付ける発電した電気を常時バッテリーに充電ができるようにする、
（２）同じ長さのてこ棒を二本使用するてこ棒の軸（支点）はてこ棒の先端を引き上げるとてこ棒の軸が回転してこ棒の先端を引き下げるとてこ棒の軸が空回転できるようにする
これでてこ棒の軸（支点）の回転運動ができる、
（３）左右のてこ棒の先端に動滑車を取り付ける真上に空間をとり上部左右に定滑車を取り付ける左右の定滑車と動滑車に力がでるようにしてワイヤーロープを取り付ける、
（４）右の定滑車に掛けたワイヤーロープを右のクランクシャフトの先端に取り付ける左の定滑車に掛けたワイヤーロープを左のクランクシャフトの先端に取り付けるこのクランクシャフトを直流モーターで回転させることで右のクランクシャフトが右の定滑車のワイヤーロープを引き上げ左のクランクシャフトが左の定滑車のワイヤーロープを引き下げることで左右交互に定滑車のワイヤーロープを引き上げ引き下げを繰り返すことでてこ棒の先端に取り付けた動滑車がてこ棒の先端を上下運動してこ棒の軸（支点）の回転運動ができるこのてこ棒と滑車の組み合わせでてこ棒の力と滑車の力が組み合わされててこ棒の軸（支点）に大きな回転力が生まれるこの大きなてこ棒の軸の回転力で発電機を回転させて発電する発電した電気を常時バッテリーに充電できるようにする発電機で発電した電気と太陽光発電で発電した電気をバッテリーに充電したバッテリーの電気で電気自動車の動力源にして車を走らせる又夜間など太陽光発電ができないので外部よりバッテリーに充電ができるように充電器を取り付ける、
以上（１）（２）（３）（４）の構成からなることを特徴とする太陽光発電とてこ棒と滑車を組み合わせた電動発電機付電気自動車。
【図面の簡単な説明】
【０００４】
【図１】全体図  太陽光発電と、てこ棒と滑車を組み合わせて、てこ棒の軸（支点）の回転運動ができるようにすることで、てこ棒の力と滑車の力が組み合わされててこ棒の軸（支点）に大きな回転力が生まれる、この軸の大きな回転力で発電機を回転させて発電する発電機で発電した電気と太陽光発電で発電した電気をバッテリーに充電する事で従来の電気自動車よりも長く走る事ができることを特徴とする図面の全体図。
【符号の説明】
【０００５】１太陽光発電パネル
２てこ棒
３引き上げると回転
４引き下げると空回転
５ワイヤーロープ
６定滑車
７動滑車
８右のクランクシャフト
９左のクランクシャフト
１０回転
１１車輪
１２クランクシャフト
１３直流モーター
１４発電機
１５バッテリー
１６バッテリーに充電
１７充電器
１８バッテリーの電気で車を走らせる
１９バッテリーの電気で直流モーターを回転させる
２０直流１２ボルトに変換
２１上下運動
【手続補正３】
【補正対象書類名】図面
【補正対象項目名】全図
【補正方法】変更
【補正の内容】
【図１】
0003176711.tif 000005